(57)【要約】【課題】家事を適切に分担することにより、ユーザにとって快適性の向上を図ることができる家事分担システムを提供する。【解決手段】住宅１０内の各エリア１１〜１５には、各カメラ２１〜２５が設けられている。コントローラ３０は、各カメラ２１〜２５により撮影された画像に基づいて、各エリア１１〜１５において予め定められた各家事項目が行われたか否かを判定することにより家事負担情報を取得する。また、コントローラ３０は、各カメラ２１〜２５により撮影された家事項目を行っている際の人の表情に基づいて、ストレスレベルを算出することによりストレス情報を取得する。コントローラ３０は、取得された各ユーザの家事負担情報及びストレス情報に基づいて、当日における家事負担数及びストレス度をユーザごとに算出する。そして、コントローラ３０は、月末には、１カ月平均の家事負担数及びストレス度に基づき、家事分担を決定する。【選択図】      図１
2020177447.tif 000002
【特許請求の範囲】
【請求項１】
住宅で暮らす複数のユーザが分担して行う複数の家事が予め定められており、それら複数の家事について前記各ユーザへの分担を決定する家事分担システムであって、
前記各ユーザごとに、前記家事の負担状況を検出する家事負担検出手段と、
前記各ユーザごとに、前記家事に伴うストレス状況を検出するストレス検出手段と、
前記家事負担検出手段により検出された前記各ユーザの家事の負担状況と、前記ストレス検出手段により検出された前記各ユーザのストレス状況とに基づき、前記各家事を前記各ユーザへどのように分担するか、その家事分担を決定する家事分担決定手段と、
その家事分担決定手段により決定された家事分担を前記各ユーザに通知する通知手段と、
を備えることを特徴とする家事分担システム。
【請求項２】
前記各ユーザごとに、前記ユーザが前記家事を行っている際の生体情報を取得する生体情報取得手段を備え、
前記ストレス検出手段は、前記生体情報取得手段により取得された前記各ユーザの生体情報に基づいて、前記各ユーザのストレス状況を検出する、請求項１に記載の家事分担システム。
【請求項３】
前記生体情報取得手段は、前記ユーザの生体情報として、前記ユーザの表情を取得し、
前記ストレス検出手段は、前記取得したユーザの表情に基づき、前記ユーザのストレス状況を検出する、請求項２に記載の家事分担システム。
【請求項４】
前記複数の家事には、特定の前記ユーザが担当する家事として予め定められた固定家事と、前記各ユーザの誰もが担当になりうる家事としてあらかじめ定められた複数の共通家事とが含まれており、
前記家事分担決定手段は、前記家事分担を行うに際し、前記各共通家事を前記各ユーザへどのように分担するか決定する手段を有する、請求項１〜３のいずれか１項に記載の家事分担システム。
【発明の詳細な説明】
【技術分野】
【０００１】
本発明は、家事分担システムに関する。
【背景技術】
【０００２】
近年、ユーザのストレスを判定するシステムが提案されている。例えば、特許文献１では、育児開始以前の生活状況を基準として、育児をするユーザの生活情報に基づいて、育児におけるユーザのストレスを判定するシステムが開示されている。
【先行技術文献】
【特許文献】
【０００３】
【特許文献１】特開２０１７−１８２１８０号公報
【発明の概要】
【発明が解決しようとする課題】
【０００４】
ところで、家庭においては、家事の負担が特定の人に偏りやすい傾向がある。そのため、その特定の人が多くの家事を負担することにストレスを感じている場合がある。例えば、上記文献１では、ストレスを検出できたとしても、そのストレスの原因を取り除くことはできない。
【０００５】
本発明は、上記事情に鑑みてなされたものであり、家事を適切に分担することにより、ユーザにとって快適性の向上を図ることができる家事分担システムを提供することを目的とする。
【課題を解決するための手段】
【０００６】
上記課題を解決すべく、第１の発明の家事分担システムは、
住宅で暮らす複数のユーザが分担して行う複数の家事が予め定められており、それら複数の家事について前記各ユーザへの分担を決定する家事分担システムであって、
前記各ユーザごとに、前記家事の負担状況を検出する家事負担検出手段と、
前記各ユーザごとに、前記家事に伴うストレス状況を検出するストレス検出手段と、
前記家事負担検出手段により検出された前記各ユーザの家事の負担状況と、前記ストレス検出手段により検出された前記各ユーザのストレス状況とに基づき、前記各家事を前記各ユーザへどのように分担するか、その家事分担を決定する家事分担決定手段と、
その家事分担決定手段により決定された家事分担を前記各ユーザに通知する通知手段と、
を備えることを特徴とする。
【０００７】
第１の発明によれば、各ユーザごとに家事の負担状況と家事に伴うストレス状況とが判定される。そして、それら判定された各ユーザの家事負担状況及びストレス状況に基づいて、各ユーザの家事分担が決定される。ユーザの家事負担状況とストレス状況とからユーザがどれだけ家事を負担するとストレスを感じるかを把握することができる。換言すると、ユーザの家事負担とストレスとの相関関係を把握することができる。そのため、本発明では、各ユーザごとの家事とストレスとの相関関係に基づき、例えば、各ユーザのストレスが小さくなるように家事の分担を決定することができる。また、決定された家事分担が通知されることにより、各ユーザは自身の行う家事行動を確実に知ることができる。これにより、家事を適切に分担させることができ、ユーザにとって快適性の向上を図ることができる。
【０００８】
第２の発明の家事分担システムは、第１の発明において、
前記各ユーザごとに、前記ユーザが前記家事を行っている際の生体情報を取得する生体情報取得手段を備え、
前記ストレス検出手段は、前記生体情報取得手段により取得された前記各ユーザの生体情報に基づいて、前記各ユーザのストレス状況を検出することを特徴とする。
【０００９】
第２の発明によれば、家事を行っている際の生体情報を取得する。例えば、ユーザがその家事行動にストレスを感じている場合には、家事行動の際のユーザの生体情報には、変化が生じると考えられる。第２の発明によれば、ユーザが家事を行っている際の生体情報に基づいて、家事行動におけるストレス状況が判定される。これにより、ユーザがその家事負担により生じるストレスを明確に把握することができる。
【００１０】
第３の発明の家事分担システムは、第２の発明において、
前記生体情報取得手段は、前記ユーザの生体情報として、前記ユーザの表情を取得し、
前記ストレス検出手段は、前記取得したユーザの表情に基づき、前記ユーザのストレス状況を検出することを特徴とする。
【００１１】
例えば、ユーザがその家事行動にストレスを感じている場合には、家事行動の際のユーザの表情は、不快な気持ちが表れた表情（例えば、口角が下がる等）となる。第３の発明によれば、ユーザの表情に基づいて、その家事行動におけるストレス状況が判定される。これにより、ユーザにとってその家事行動がストレスとなっていることをより明確に把握することができる。
【００１２】
第４の発明の家事分担システムは、第１〜第３のいずれかの発明において、
前記複数の家事には、特定の前記ユーザが担当する家事として予め定められた固定家事と、前記各ユーザの誰もが担当になりうる家事としてあらかじめ定められた複数の共通家事とが含まれており、
前記家事分担決定手段は、前記家事分担を行うに際し、前記各共通家事を前記各ユーザへどのように分担するか決定する手段を有することを特徴とする。
【００１３】
家事行動においては、時間等の制約により特定の人しか行うことができない固定家事がある。第４の発明によれば、各ユーザのストレス状況に応じて、ユーザのいずれかが行えばよい共通家事の担当を変更することにより、各ユーザの家事分担が決定される。よって、共通家事の担当を変更することにより、固定家事の負担を軽減させることができ、ユーザの快適性を高めることができる。
【図面の簡単な説明】
【００１４】
【図１】家事分担システムの構成を示す概略図。
【図２】図２（ａ）は家事分担記憶エリアに記憶される家事分担の状況を示す概略図、図２（ｂ）は情報記憶エリアに記憶される各ユーザの家事負担情報及びストレス情報の概略図。
【図３】家事負担判定処理の処理手順を示すフローチャート。
【図４】家事分担決定処理の処理手順を示すフローチャート。
【図５】１カ月平均における各ユーザの家事負担数とストレス度の概略図。
【図６】表示部において表示された家事分担の通知を示す図。
【発明を実施するための形態】
【００１５】
以下、本発明を具体化した一実施の形態について図面を参照しつつ説明する。図１は、家事分担を判定する家事分担システムの構成を示す概略図であり、家事分担システムは住宅１０に設けられている。なお、本実施形態では、住宅１０に、居住者（以下、ユーザ）として両親（父及び母）とその子（一人）とが居住していることを想定している。
【００１６】
図１に示すように、住宅１０には、屋内空間（エリア）として、玄関１１と、キッチン１２と、たたみエリア１３と、物干しエリア１４と、ごみステーション１５とが設けられている。各エリア１１〜１５には、カメラ２１〜２５がそれぞれ設けられている。各カメラ２１〜２５は、例えば壁等に設けられており、そのエリアにいるユーザの動作と、ユーザの顔（特に、その動作の際の表情）とが各カメラ２１〜２５により撮影される。各カメラ２１〜２５は、例えば、人を検出することにより撮影を開始する構成とする。
【００１７】
なお、住宅１０には、各エリア１１〜１５の他、複数の居室、浴室、廊下、トイレ等の空間が設けられているが図示は省略する。
【００１８】
次に、本システムの電気的構成について説明する。
【００１９】
家事分担システムは、当該システムを統括管理（制御）するコントローラ３０を備える。コントローラ３０は、例えば、リビング（図示略）の壁に取り付けられている。コントローラ３０は、ＣＰＵ、ＲＯＭ、ＲＡＭ等からなる周知のマイクロコンピュータを備えて構成されている。コントローラ３０は、各種情報を記憶する記憶部３１と、計時機能、時計機能及びカレンダ機能を有するタイマ３２とを有している。
【００２０】
本システムにおいては、住宅１０に居住する各ユーザが分担して行う複数の家事が予め定められている。本実施形態では、それら複数の家事は、各エリア１１〜１５において行われる家事項目として各エリア１１〜１５と紐づけられてそれぞれ定められている。具体的には、玄関１１の家事項目は靴ならべであり、キッチン１２の家事項目は料理及び食器洗いであり、たたみエリア１３の家事項目は洗濯物たたみであり、物干しエリア１４の家事項目は洗濯物干しである。また、ごみステーション１５の家事項目は、可燃ごみ又は資源ごみの準備（住宅１０内から回収してまとめる作業）と、当該ごみステーション１５に回収された可燃ごみ又は資源ごみを屋外のごみ捨て場まで運び出すごみ出しとである。
【００２１】
ここで、記憶部３１には、家事分担に関する各種情報を記憶する家事分担記憶エリア３１ａと、各検出データを記憶する情報記憶エリア３１ｂとが設けられている。本実施形態では、各エリア１１〜１５において行われる家事項目が各ユーザに分担されている。図２（ａ）には、家事分担記憶エリア３１ａに記憶された家事分担の状況の概略が示されている。図２（ａ）に示すように、家事項目は、特定のユーザが担当する家事とされる固定家事と、各ユーザのうちいずれかが担当する家事とされる共通家事とに分類されている。例えば、朝食準備及び夕食準備である料理は母の固定家事とされている。本実施形態では、各ユーザに１以上の固定家事が割り当てられている。共通家事としては、例えば、ごみ出しや靴ならべ等の複数の家事項目が定められており、各ユーザは、少なくとも１以上の共通家事が割り当てられている。なお、図２（ａ）に示した家事分担は、当月分（本実施形態では３月度）の家事分担とする。
【００２２】
コントローラ３０には、各カメラ２１〜２５が接続され、各カメラ２１〜２５により撮影された画像（映像）が逐次入力される。コントローラ３０は、各カメラ２１〜２５により撮影された画像に対して画像認識処理を行い、その画像における人（人として認識された人）により各エリア１１〜１５において定められた各家事項目が行われたか否かを判定する。例えば、記憶部３１には、各エリア１１〜１５において定められた各家事項目と、各エリア１１〜１５で行う動作とが紐付けされてそれぞれ記憶されている。コントローラ３０は、画像認識処理により認識された各エリア１１〜１５における人の動作と、各エリア１１〜１５ごとに定められた所定の動作とが一致するか否かを判定する。一致すると判定された場合、コントローラ３０は、各エリア１１〜１５においてその家事項目が行われたと判定する。
【００２３】
例えば、玄関１１の家事項目である靴ならべと、複数の靴の向きを一方向に整える動作とが紐付けされて記憶部３１に記憶されているとする。この場合、カメラ２１により撮影された画像の画像認識処理により人が複数の靴の向きを一方向に整える動作が取得（画像認識）されると、コントローラ３０は靴ならべが行われたと判定する。
【００２４】
画像において認識された人により各エリア１１〜１５において定められた各家事項目が行われたと判定された場合、コントローラ３０は、家事項目を行ったユーザを特定する。ここで、記憶部３１にはユーザの顔があらかじめ画像情報として登録されており、コントローラ３０は、その画像情報に基づいて、父、母又は子のいずれであるかを特定することができる。よって、各エリア１１〜１５において定められた各家事項目が行われたと判定された後、家事項目を行ったユーザが特定されるようになっている。これにより行われた家事項目とその家事項目を行ったユーザとが紐付けされた情報となり、コントローラ３０により各ユーザの負担した家事の情報に関する家事負担情報が検出（取得）される構成となっている。なお、コントローラ３０が家事負担検出手段に相当する。
【００２５】
また、コントローラ３０は、家事項目を行っているユーザが家事項目を行っている際の表情に基づき、その家事項目におけるストレスレベルを算出（検出）する。具体的には、コントローラ３０は、各カメラ２１〜２５により撮影された画像に対して画像認識処理を行い、家事項目を行っている際の人の表情を分類して、ストレスレベルを算出する。本実施形態では、人の表情の各分類（５分類）に対して、ストレスレベルが以下のように定められている；
・ストレスレベル１（ストレスかなり低め）：笑いながら家事を行っている（口を開けて笑っている等を画像認識により検出）
・ストレスレベル２（ストレス低め）：にこやかに家事を行っている（口角が上がっている等を画像認識により検出）
・ストレスレベル３（ストレス中間）：集中して家事を行っている（無表情等を画像認識により検出）
・ストレスレベル４（ストレス高め）：不満げに家事を行っている（口角が下がっている等を画像認識により検出）
・ストレスレベル５（ストレスかなり高め）：怒りながら家事を行っている（上唇が上がる、口に力が入る、両眉が中央に寄りながら下がる等を画像認識により検出）。
【００２６】
よって、各エリア１１〜１５において定められた各家事項目が行われたと判定され、その家事項目を行ったユーザが特定された後、この基準を用いて家事項目を行っている際のユーザのストレスレベルが判定されるようになっている。これにより家事項目とその家事項目を行ったユーザのストレス状況とが紐付けされた情報となり、コントローラ３０により各ユーザの家事に伴うストレス情報（ストレスレベル）が検出（取得）される構成となっている。なお、コントローラ３０がストレス検出手段及び生体情報取得手段に相当する。
【００２７】
コントローラ３０は、各ユーザの家事負担情報と、各ユーザの家事に伴うストレス情報とを取得すると、それら各情報を、それぞれ当該情報を取得した取得時刻と対応付けて情報記憶エリア３１ｂに記憶する。これにより、情報記憶エリア３１ｂには、各ユーザの家事負担情報及びストレス情報がその都度記憶されるようになっている。ここで、図２（ｂ）には、情報記憶エリア３１ｂに記憶される家事負担情報及びストレス情報の一例が示されている。図２（ｂ）に示すように、各ユーザにより行なわれたと判定された家事項目が家事負担情報として記憶され、その家事項目を行なっている際のストレスとして算出されたストレスレベルがストレス情報として記憶されている。
【００２８】
コントローラ３０には、表示部３３が接続されている。表示部３３は、例えばリビング（図示略）の壁に取り付けられている。表示部３３は、家事分担に関する情報が表示可能とされており、コントローラ３０によりその表示が制御されている。表示部３３は、通知手段に相当する。
【００２９】
次に、コントローラ３０により実行される家事負担判定処理について図３に示すフローチャートに基づいて説明する。家事負担判定処理は、タイマ３２による時計機能（現在時刻）に基づき、判定時刻になったことをトリガとして開始される。すなわち、本処理は毎日行われるものである。本実施形態では、判定時刻が夜間の時刻に設定されており、例えば３時に設定されている。
【００３０】
図３において、ステップＳ１１では、当日（本日）における各ユーザの各家事負担情報を情報記憶エリア３１ｂより読み出して取得する。続くステップＳ１２では、当日における各ユーザのストレス情報を情報記憶エリア３１ｂより読み出して取得する。このステップＳ１１，Ｓ１２では、当日において、取得する度に記憶した各ユーザの家事負担情報及びストレス情報の全てを読み出して取得する。
【００３１】
ステップＳ１３では、Ｓ１１，Ｓ１２で取得された各ユーザの家事負担情報及びストレス情報に基づいて、当日における家事負担数及びストレス度をユーザごとに算出する。ここで、家事負担数とは、各ユーザが当日において行った家事項目の合計値であり、ストレス度とは、各ユーザの当日におけるストレスレベルの平均値である。ストレス度は、当日において算出されたストレスレベルの合計値をそのユーザの家事負担数で割った値とする。なお、図２（ｂ）には、当日における家事負担数とストレス度とが一例として示されている。図２（ｂ）に示すように、父、母及び子のそれぞれについて、当日において行った家事項目数（すなわち、家事負担数）が算出され、家事項目を行った際のストレスレベルの平均（すなわちストレス度）が算出されている。
【００３２】
ステップＳ１４では、ステップＳ１３で算出された家事負担数及びストレス度を情報記憶エリア３１ｂに記憶する。これにより、情報記憶エリア３１ｂには日々の家事負担数及びストレス度が記憶される。その後、本処理を終了する。
【００３３】
次に、コントローラ３０により実行される家事分担決定処理について図４に示すフローチャートに基づいて説明する。家事分担決定処理は、タイマ３２による時計機能及びカレンダ機能に基づき、月末の判定時刻になったことをトリガとして開始される。すなわち、本処理は、月に一回行われるものである。判定時刻は夜間の時刻に設定されており、例えば３時３０分に設定されている。
【００３４】
図４において、ステップＳ２１では、情報記憶エリア３１ｂに記憶された家事負担数の履歴に基づいて、家事負担数の１カ月平均を算出する。続くステップＳ２２では、情報記憶エリア３１ｂに記憶されたストレス度の履歴に基づいて、ストレス度の１カ月平均を算出する。ここで、図５には、父、母及び子のそれぞれについて算出された家事負担数の１カ月平均とストレス度の１カ月平均との一例が示されている。
【００３５】
続いて、ステップＳ２３では、ステップＳ２２で算出されたストレス度の１カ月平均に基づいて、ストレスの高いユーザがいるか否かを判定する。ここで、本実施形態では、ストレス基準値があらかじめ定められおり、ストレス度の１カ月平均がストレス基準値よりも高い場合には、ストレスが高いと判定される。本実施形態では、例えば、ストレス基準値は４とする。ストレス基準値が４以上のユーザがいる場合、すなわち、ストレスが高いユーザがいる場合は、ステップＳ２４に進む。ストレス基準値が４以上のユーザがいない場合、すなわち、ストレスが高いユーザがいない場合は、ステップＳ２６に進む。
【００３６】
ステップＳ２４では、固定家事の担当ユーザを決定する（家事分担決定手段に相当）。ここで、家事分担の担当ユーザを決める際には、家事分担記憶エリア３１ａに記憶された当月分（３月度）の家事分担を参照する。すなわち、本ステップでは、当月分（３月度）の家事分担に基づき、固定家事の担当ユーザを決定する。なお、固定家事は予め定められているが、コントローラ３０の操作部（図示略）を操作することにより変更することも可能である。固定家事の担当ユーザが変更されている場合は、例えば、当該ステップで変更が反映される。本実施形態では、家事分担決定処理において固定家事の担当ユーザの変更は行わないため、固定家事の担当ユーザは、当月分（３月度）の家事分担の固定家事の担当ユーザと同じとする。
【００３７】
続くステップＳ２５では、共通家事の担当ユーザを決定する（家事分担決定手段に相当）。すなわち、本ステップでは、当月分（３月度）の家事分担に基づき、共通家事の担当ユーザを決定する。本実施形態では、ストレスが高いユーザの共通家事の少なくとも１つを他のユーザの担当家事として割り当てる処理を行うことにより共通家事の担当ユーザを決定する。これにより、家事負担によりストレスを感じているユーザの家事負担を減らすことができるため、そのユーザのストレスを減らすことができる。なお、本実施形態では、ストレスが高いユーザの共通家事は、ストレスの高いユーザを除外した、家事負担数の１カ月平均が少ないユーザに割り当てられることとする。
【００３８】
ここで、共通家事の担当ユーザの決定処理を、図２（ａ）及び図５の一例を用いて説明する。例えば、図５の場合には、父がストレス度の１カ月平均値が４以上であるためストレスが高いユーザとして判定される。この場合、父の家事負担を減らすため、当月分（３月度）の家事分担において父担当の共通家事とされている家事項目を父の担当家事から外して、当該家事項目を、他のユーザ（この場合は、母又は子）の担当家事として割り当てることになる。図２（ａ）及び図５の例では、母と子とでは、子の方が家事負担数の１カ月平均が少ないため、子が父担当の共通家事の新たな担当ユーザとなる。この場合、例えば、父担当の共通家事であったごみ出しを、子担当に決定する。以上のように、ストレスが高いユーザの共通家事を他のユーザに割り当てた後、ステップＳ２６へ進む。
【００３９】
ステップＳ２３でストレスの高いユーザがいないと判定された場合と、ステップＳ２５で共通家事の担当ユーザを決定した場合とからステップＳ２６に進むと、当該ステップでは、次月度（本実施形態では４月）の家事分担を通知する（提案手段に相当）。例えば、図２（ａ）及び図５の例の場合には、図６に示すように、表示部３３において、「お父さんのストレスが高いようです。家事分担を変更しました。」と表示されるとともに、次月度の家事分担表（各ユーザの家事分担）が表示される。この場合、この次月度において当月から担当ユーザが変更されたごみ出しが強調して表示されている。なお、ステップＳ２３でストレスの高いユーザがいないと判定された場合は、当月分の家事分担が変更されていないため、次月度の家事分担は当月分の家事分担と同じ分担内容で、次月度の家事分担表として表示される。
【００４０】
続くステップＳ２７では、決定した家事分担を家事分担記憶エリア３１ａに記憶する。すなわち、次月度（本実施形態では４月）の家事分担を当月分（ここでは４月分）の家事分担として記憶する（すなわち、当月分の家事分担を更新する）。この際、図２（ａ）に示すように、各家事項目を固定家事と共通家事とに分類して、各ユーザの担当ごとに記憶する。記憶処理の後、本処理を終了する。
【００４１】
以上、詳述した本実施形態の構成によれば、以下の優れた効果が得られる。
【００４２】
本実施形態によれば、日々、各ユーザごとに、家事負担数と家事に伴うストレス度（家事を行っている際のストレスレベルの平均値）とが判定される。そして、それら判定された各ユーザの家事負担数及びストレス度に基づいて、月末に次月度の各ユーザの家事分担が決定される。このユーザの家事負担数とストレス度とを日々取得することによりユーザがどれだけ家事を負担するとストレスを感じるかを把握することができる。換言すると、ユーザの家事負担数とストレスとの相関関係を把握することができる。例えば、家事負担数が少なくとも、仕事等で忙しく、家事を負担することによりストレスを感じる場合がある。本実施形態では、各ユーザごとの家事負担数とストレス度との相関関係に基づき、月末に、各ユーザのストレスが小さくなるように家事の分担を決定する。これにより、ストレスの原因である家事負担をできるだけ小さくなるように家事分担の最適化を図ることができる。よって、家事を適切に分担させることができ、ユーザにとって快適性の向上を図ることができる。
【００４３】
例えば、ユーザがその家事項目にストレスを感じている場合には、家事項目を行っている際のユーザの表情は不快な気持ちが表れた表情（例えば、口角が下がる等）となる。本実施形態によれば、家事を行っている際のユーザの表情を取得し、取得されたユーザの表情に基づいて、その家事項目におけるストレスレベルが判定される。これにより、ユーザにとって家事がストレスとなっていることを明確に把握することができる。
【００４４】
本実施形態によれば、特定のユーザが行う固定家事と、ユーザのいずれかが行えばよい共通家事とが定められている。家事においては、時間等の制約により特定の人しか行うことができない家事があるが、その家事の負担が大きい場合がある。本実施形態によれば、各ユーザのストレス度に応じて、共通家事の担当を変更することにより、各ユーザの家事分担が決定される。よって、共通家事の担当を変更することにより、固定家事の負担を軽減させることができる。
【００４５】
本実施形態によれば、決定された家事分担が通知されることにより、各ユーザは互いの家事分担を確実に知ることができる。これにより、家事負担によりストレスが生じているユーザを各ユーザが把握でき、分担された家事について各ユーザが納得して負担することができる。
【００４６】
本発明は上記実施形態に限らず、例えば次のように実施されてもよい。
【００４７】
（１）上記実施形態では、家事項目を行っている際の表情が生体情報として取得されているが、生体情報としては、脈拍、音声、体温、発汗量等の生体情報であってもよい。例えば、生体センサ（体動センサや温度センサ等）を各エリア１１〜１５に設けたり、各ユーザが装着型の生体センサを身に着けることにより、生体情報を取得することができる。
【００４８】
（２）上記実施形態では、各エリア１１〜１５に設けられたカメラ２１〜２５により撮影された画像に基づいて家事の負担情報とストレス情報とが取得されているが、家事の負担情報とストレス情報とはカメラ２１〜２５以外の他の手段により取得されてもよい。また、家事の負担情報とストレス情報とが同一の手段から取得されるのではなく、それぞれ別の手段から取得されてもよい。
【００４９】
例えば、特定の家事項目に用いる機器が所定の位置にある場合がある。この場合には、その機器の動作状況を検出する機器動作検出手段と、ユーザの位置を検出するユーザ位置検出手段とを備えることによって、コントローラ３０は、家事の負担情報を取得することができる。例えば、機器が動作していることが検出され、かつユーザがその機器のある所定の位置にいることが検出された場合に、コントローラ３０は、そのユーザがその特定の家事項目を行っていると判定すればよい。すなわち、コントローラ３０は、機器動作検出手段及びユーザ位置検出手段により検出された結果に基づいて、家事の負担情報を取得することができる。例えば、機器としてコンロとした場合は、家事項目として料理をしていると判定でき、キッチン１２に設けられたタッチセンサ式の水道蛇口の場合には食器洗い（片づけ）をしていると判定できる。
【００５０】
（３）上記実施形態では、ストレスが高いユーザの共通家事を他のユーザに割り当てる場合に家事負担数が少ないユーザにその共通家事を割り当てているが、この家事の分担を決定する基準はこれに制限されない。例えば、ストレスが高いユーザの共通家事を、ストレスが少ないユーザに割り当ててもよい。または、ユーザによってストレスを感じやすい家事項目が異なる場合がある。上記実施形態では、家事を行っている際のユーザの表情に基づきストレス情報が取得されているため、共通家事の家事項目ごとにユーザのストレスレベルを比較することが可能である。よって、例えば、各ユーザにとってストレスの感じにくい家事項目を割り当ててもよい。この場合、家事分担の最適化を図ることもでき、ユーザの快適性をさらに向上することができる。
【符号の説明】
【００５１】
１０…住宅、１１…玄関、１２…キッチン、１３…たたみエリア、１４…物干しエリア、１５…ごみステーション、２１〜２５…カメラ、３０…コントローラ、３１…記憶部。
【図１】
2020177447.tif 000003
【図２】
2020177447.tif 000004
【図３】
2020177447.tif 000005
【図４】
2020177447.tif 000006
【図５】
2020177447.tif 000007
【図６】
2020177447.tif 000008